(57)【要約】      （修正有）【課題】ヘッドカバーをプレーヤーのポケットなどに確実に保持できると共に、その着脱もスムーズに行うことができる新規なヘッドカバー保持具を提供する。【解決手段】着衣に係合するフック部１０と、ヘッドカバー４０を保持するクリップ部と、フック部１０とクリップ部とを連結する連結部とを有し、前記フック部１０は、縦長をしたＵ字型のフック本体の一端に連結部を連結すると共に、その他端部を外側に湾曲させてなる。これによって、ヘッドカバー４０をプレーヤーのポケット（着衣）などに確実に保持できると共に、その着脱もスムーズに行うことができる。【選択図】図５
0003183105.tif 000002
【実用新案登録請求の範囲】
【請求項１】
着衣の縁部に係合するフック部と、ヘッドカバーを保持するクリップ部と、前記フック部とクリップ部とを連結する連結部とを有し、
前記フック部は、縦長Ｕ字型のフック本体の一端に前記連結部を連結すると共に、前記フック本体の先端を外側に湾曲させてなることを特徴とするヘッドカバー保持具。
【請求項２】
請求項１に記載のヘッドカバー保持具において、
前記フック部のフック本体の係合溝の幅は、ゴルフクラブのシャフトの径よりも狭いことを特徴とするヘッドカバー保持具。
【請求項３】
請求項１または２に記載のヘッドカバー保持具において、
前記連結部は表示板を有することを特徴とするヘッドカバー保持具。
【請求項４】
請求項１乃至３の何れかに記載のヘッドカバー保持具において、
前記フック部のフック本体に把持部を備えたことを特徴とするヘッドカバー保持具。
【請求項５】
請求項４に記載のヘッドカバー保持具において、
前記把持部に係合穴を備えたことを特徴とするヘッドカバー保持具。
【請求項６】
請求項１乃至５の何れかに記載のヘッドカバー保持具において、
前記ヘッドカバーは、パターカバーであることを特徴とするヘッドカバー保持具。
【考案の詳細な説明】
【技術分野】
【０００１】
本考案は、ゴルフクラブを保護するためのヘッドカバーをプレーヤーの着衣のポケットなどに一時的に保持するためのヘッドカバー保持具に関する。
【背景技術】
【０００２】
ゴルフクラブのうち、特にドライバーやスプーン、パターなどは、キャディバッグでの搬送中やカートでの移動中に他のクラブとぶつかって傷付くのを防止するためにヘッドカバーを装着するのが一般的である。
【０００３】
そして、これらを使用する際にはその都度ヘッドカバーを外し、使用が終わった後に再びヘッドカバーを被せるといったことになるが、プレーに夢中になっているとヘッドカバーを外した際にそれをティーグランドやグリーン周りに置き忘れたり、紛失してしまうことがある。また、外したヘッドカバーをズボンのポケットに入れたままプレーした場合には、ポケットが嵩張ってプレーの邪魔になる。
【０００４】
そのため、例えば以下の特許文献１では、保持札とマグネットを利用したヘッドカバーの保持具が提案されている。また、以下の特許文献２では、被服のポケットに収容可能な本体部と、ヘッドカバーに係合可能な係合部とを備えたヘッドカバー携行用保持具が提案されている。また、以下の特許文献３では、プレーヤーのズボンに装着したクリップに面ファスナーや磁石などを用いてヘッドカバーを係合するようにしたゴルフクラブ用ヘッドカバーが提案されている。
【先行技術文献】
【特許文献】
【０００５】
【特許文献１】実用新案登録第３１３２７２６号公報
【特許文献２】実用新案登録第３１１４６５９号公報
【特許文献３】実用新案登録第２１０１７０３号公報
【考案の概要】
【考案が解決しようとする課題】
【０００６】
しかしながら、前記特許文献１および３で提案されている技術は、磁力や面ファスナーによる吸着力などを利用したものであるため、吸着力が低下したり、吸着が不十分の状態、あるいはヘッドカバーが何かに引っかかった場合には、すぐに外れてポケットから脱落してしまうといったおそれがある。また、前記特許文献２の技術は、本体部の大きさとポケットの大きさの関係によってはポケットへの本体部の出し入れをスムーズに行うのが難しい。
【０００７】
そこで、本考案はこれらの課題を解決するために案出されたものであり、その目的は、ヘッドカバーをプレーヤーのポケットなどに確実に保持できると共に、その着脱もスムーズに行うことができる新規なヘッドカバー保持具を提供するものである。
【課題を解決するための手段】
【０００８】
前記目的を達成するために第１の考案は、着衣の縁部に係合するフック部と、ヘッドカバーを保持するクリップ部と、前記フック部とクリップ部とを連結する連結部とを有し、前記フック部は、縦長Ｕ字型のフック本体の一端に前記連結部を連結すると共に、前記フック本体の先端を外側に湾曲させてなることを特徴とするヘッドカバー保持具である。
【０００９】
このような構成によれば、縦長Ｕ字型のフック本体を把持し、その湾曲した先端をプレーヤーの着衣のポケットなどに差し込むようしてそのポケット縁に係合させるだけで確実にヘッドカバーをプレーヤーの着衣に保持することができる。また、このフック本体は縦長をしたＵ字型となっているため、簡単に外れたりすることがない上に、そのポケット縁などに係合させただけの状態であるため、着脱もスムーズに行うことができる。
【００１０】
第２の考案は、第１の考案において、前記フック部のフック本体の係合溝の幅は、ゴルフクラブのシャフト径よりも狭いことを特徴とするヘッドカバー保持具である。このような構成によれば、ヘッドカバーを被せたクラブを使用していないときや他のクラブと一緒にしたときなどに、そのヘッドカバーに取り付けたままのフック本体の係合溝に他のクラブのシャフトが嵌り込んで引っかかってしまうような不都合を未然に回避できる。
【００１１】
第３の考案は、第１または第２の考案において、前記連結部は表示板を有することを特徴とするヘッドカバー保持具である。このような構成によれば、その表示板を利用して、例えばプレーヤの名前や住所などを書き込んだり、あるいはゴルフ場やゴルフ用品メーカーなどの広告などを表示する広告媒体として利用することができる。
【００１２】
第４の考案は、第１乃至第３の考案において、前記フック部のフック本体に把持部を備えたことを特徴とするヘッドカバー保持具である。このような構成によれば、フック本体を指で把持し易くなるため、フック本体のポケットへの着脱を簡単かつ確実に行うことができる。
【００１３】
第５の考案は、第４の考案において、前記把持部に係合穴を備えたことを特徴とするヘッドカバー保持具である。このような構成によれば、この係合穴を利用して各種アクセサリーや小道具などをまとめて保持することができる。
【００１４】
第６の考案は、第１乃至第５の考案において、前記ヘッドカバーは、パターカバーであることを特徴とするヘッドカバー保持具である。これにより、ゴルフプレー中に最も頻繁に着脱を繰り返すパターカバーをプレーヤーのポケットなどに確実に保持できると共に、その着脱をスムーズに行うことができる。
【考案の効果】
【００１５】
本考案によれば、プレーヤー自身が縦長Ｕ字型のフック本体を把持し、その湾曲した先端をプレーヤーのポケットなどに差し込むようしてそのポケット縁に係合させるだけで確実にヘッドカバーをプレーヤーの着衣に保持できる。また、このフック本体は縦長をしたＵ字型となっているため、簡単に外れたりすることがない上に、そのポケット縁に係合させただけの状態であるため、着脱もスムーズに行うことができる。
【図面の簡単な説明】
【００１６】
【図１】本考案に係るヘッドカバー保持具１００の実施の一形態を示した全体図である。
【図２】（Ａ）は、フック部１０を示す拡大図、（Ｂ）は、ゴルフクラブのシャフトＳの径Ｄを示す概念図である。
【図３】本考案に係るヘッドカバー保持具１００をズボンの後ろポケットＰに係合させた状態を示す概念図である。
【図４】本考案に係るヘッドカバー保持具１００をズボンの前ポケットＰに着脱させた状態を示す概念図である。
【図５】本考案に係るヘッドカバー保持具１００をズボンの後ろポケットＰに係合させてプレーをする状態を示す概念図である。
【図６】連結部３０の一部を楕円形の表示板３１で構成した例を示す全体図である。
【図７】連結部３０の一部を矩形の表示板３１で構成した例を示す全体図である。
【図８】フック部１０のフック本体１１に把持部１９を備えた例を示す概念図である。
【図９】フック本体１１の把持部１９にさらに係合穴１９ｂを備えた例を示す概念図である。
【図１０】クリップ部２０と連結部３０の連結部分にはこのグリーンフォーク５０などの小物やアクセサリーを取り付けた例を示す概念図である。
【考案を実施するための形態】
【００１７】
以下、本考案の実施の形態を添付図面を参照しながら説明する。図１は本考案に係るヘッドカバー保持具１００の実施の一形態を示したものである。図示するようこのヘッドカバー保持具１００は、フック部１０と、ヘッドカバー４０を保持するクリップ部２０と、このクリップ部２０とフック部１０とを連結する連結部３０とから構成されている。
【００１８】
フック部１０は、真鍮などの金属やプラスチックあるいは木材などから構成されており、図１および図２（Ａ）に示すように縦長Ｕ字型のフック本体１１の一端の係合穴１２に前記連結部３０を連結すると共に、そのフック本体１１の先端を外側に湾曲させた構造となっている。具体的には、このフック本体１１は、図２に示すように、円形の係合穴１２を有するリング状の基部１３と、この基部１３から略直線状に延びる第１直線部１４と、この第１直線部１４の端部から連続して１８０°湾曲した折返部１５と、この折返部１５と連続して前記第１直線部１４と略平行に延びる第２直線部１６と、この第２直線部１６から連続して前記第１直線部１４の反対方向に湾曲した湾曲部１７とから構成されている。
【００１９】
そして、この基部１３、第１直線部１４、折返部１５、第２直線部１６、湾曲部１７のサイズは特に限定するものではないが、例えば、基部１３の幅Ｈは５ｍｍ〜１５ｍｍ、この基部１３と折返部１５を含めた第１直線部１４の長さは４０ｍｍ〜６０ｍｍ、折返部１５の幅は１０ｍｍ〜１５ｍｍ、この折返部１５を含めた第２直線部１６の長さは、３５ｍｍ〜５０ｍｍが適当である。また、この湾曲部１７の中心線の角度は、この第１直線部１４、折返部１５、第２直線部１６、湾曲部１７で構成される係合溝１８の中心線に対して約１５０〜１７０°とするのが望ましい。
【００２０】
また、この第１直線部１４、折返部１５、第２直線部１６、湾曲部１７の幅は約３ｍｍ前後、厚さ（紙面方向）は約５〜１０ｍｍ程度のやや平棒状にすることが望ましい。さらに、この厚さは一様でなく、強度が要求される折返部１５やスムーズな着脱が要求される湾曲部１７を第１直線部１４や第２直線部１６よりも大きくすることが望ましい。また、湾曲部１７はへら状に形成するのが望ましい。なお、このフック本体１１は、湾曲部１７の先端部分はもちろん、基部１３、第１直線部１４、折返部１５、第２直線部１６の表面は、すべて滑らかに面取り加工（丸加工）するのが望ましい。
【００２１】
一方、係合溝１８の大きさ（幅）Ｃは、図２（Ｂ）に示すように、ゴルフクラブのシャフトＳの径Ｄよりも小さくなっている。具体的には、このシャフトの径Ｄが１０ｍｍであれば、係合溝１８の大きさＣは１０ｍｍ未満、より望ましくは５〜８ｍｍ程度にすることが望ましい。
【００２２】
次に、クリップ部２０は、例えば布やスポンジ、毛糸などの軟質材料で形成されたヘッドカバー４０の一端を着脱自在に保持できるものであれば、特に限定されるものでなく、図示するように板ばねを利用した金属製のクリップやプラスチック製のクリップなど現在市販されて入手が容易なものをそのまま利用することができる。
【００２３】
また、連結部３０もこのクリップ部２０と前記フック部１０とを確実に連結するものであれば特に限定されるものでなく、図示するように金属製のチェーンや数珠、紐体の連結部材のような現在市販されて入手が容易なものをそのまま利用することができる。
【００２４】
次に、図３乃至図５はこのヘッドカバー保持具１００の作用（使用例）を示したものである。図示するように、このヘッドカバー保持具１００は、プレーヤーがＵ字型のフック本体１１部分を手で持ち、そのフック本体１１の下端に位置する湾曲部１７の先端をズボン（着衣）のポケットＰの中に差し込み、そのポケット縁部に折返部１５を引っ掛けるように係合させる。これによって、簡単にかつスムーズにヘッドカバー４０をプレーヤーのポケット（着衣）Ｐに保持できる。
【００２５】
また、このフック本体１１の係合溝１８は幅が狭い縦長のスリット状になっているため、仮にプレーヤーが走ったり飛び跳ねるなどして激しく動いても簡単に外れたりせず、確実にヘッドカバー４０をプレーヤーのポケットＰに保持することができる。
【００２６】
そして、パターやドライバーを打ち終えるなどしてそのヘッドカバーを再び使用する際には、プレーヤーがポケットＰに係合しているフック本体１１部分を手で持ち、そのまま上方に持ち上げれば、フック本体１１をポケットＰから容易に外すことができるため、スムーズにヘッドカバー４０を再使用することができる。
【００２７】
また、このヘッドカバー４０の使用時、すなわちそのクラブを使用していないでキャディバックやカートのパター入れなどに入れている状態のときには、そのフック本体１１が、そのクラブまたは他のクラブのシャフトと接触する可能性があるが、前述したようにこのフック本体１１の係合溝１８の幅Ｃは、クラブのシャフトの径Ｄよりも小さいため、その係合溝１８がそのクラブのまたは他のクラブのシャフトに嵌り込んで絡まってしまうようなことはない。
【００２８】
また、このフック本体１１先端の湾曲部１７は、細長い棒状（へら状）となっているため、ポケットの大きさに関係なく、どのようなポケットにも簡単に係合することが可能である。さらに、このフック本体１１はズボンのポケットＰのみならず、着衣のあらゆる場所、例えばズボンのウエスト部分やベルト部分あるいはベルト掛けなどにも簡単に着脱することができる。
【００２９】
次に、図６乃至図１０は、このヘッドカバー保持具１００の他の実施の形態を示したものである。図６および図７は、連結部３０の一部を表示板３１で構成したものである。図６は、楕円形の表示板３１を、図７は矩形状の表示板３１をそれぞれ設けた例を示したものである。このような構成にすれば、その表示板３１を利用して、図示するように例えばプレーヤの名前や住所などを書き込んだり、あるいはゴルフ場やゴルフ用品メーカーなどの広告などを表示する広告媒体として活用することができる。
【００３０】
図８は、フック部１０のフック本体１１の外周部に平板状あるいは耳状の把持部１９を一体的に備えたものである。このような構成にすれば、フック本体１１を指で把持し易くなるため、フック本体１１のポケットへの着脱をスムーズかつ確実に行うことができる。図の例では、さらにこの把持部１９の表面に滑り止め用の突起または溝１９ａを複数形成したものである。
【００３１】
そして、さらに図９はこの把持部１９に係合穴１９ｂを備えたものである。このような構成にすれば、この係合穴１９ｂを利用して各種アクセサリーや小道具などをまとめて保持することができる。図の例ではこの係合穴１９ｂにグリーンフォーク５０を取り付けたものである。また、この把持部１９に磁石を埋め込むか取り付けておき、金属製のグリーンフォーク５０を吸着させて保持できるようにしても良い。
【００３２】
また、図１０に示すようにクリップ部２０と連結部３０の連結部分にはこのグリーンフォーク５０などの小物やアクセサリーを取り付けたり、さらに２つ以上のクリップ部２０をまとめて取り付けるようにしても良い。
【符号の説明】
【００３３】
１００…ヘッドカバー保持具
１０…フック部
１１…フック本体
１２…係合穴
１３…基部
１４…第１直線部
１５…折返部
１６…第２直線部
１７…湾曲部
１８…係合溝
１９…把持部
２０…クリップ部
３０…連結部
３１…表示板
４０…ヘッドカバー（パターカバー）
５０…グリーンフォーク
Ｐ…ポケット
Ｓ…シャフト
【図１】
0003183105.tif 000003
【図２】
0003183105.tif 000004
【図３】
0003183105.tif 000005
【図４】
0003183105.tif 000006
【図５】
0003183105.tif 000007
【図６】
0003183105.tif 000008
【図７】
0003183105.tif 000009
【図８】
0003183105.tif 000010
【図９】
0003183105.tif 000011
【図１０】
0003183105.tif 000012